(57)【要約】【課題】摩耗による鈍化や欠損を防止し寿命を長くするとともに、移動する際の抵抗を減らし、引っ掛かりを防止することで、確実に切り開きができ破損や障害が生じない開封用切断具を提供すること。【解決手段】ロール状シートＳと外装紙Ｐとの間に挿入される先端挿入部１２０と、その後方に立設され外装紙Ｐを切断する切断刃部１３０と、その後方に設けられた基部１４０とを有する開封用切断具１１０において、切断刃部１３０の切断刃先１３１が、鈍化したＲ形状に形成されていること。【選択図】図３
2010070216.tif 000002
【特許請求の範囲】
【請求項１】
ロール状シートと該ロール状シートの外装紙との間に挿入される先端挿入部と、該先端挿入部の後方に立設され前記外装紙を切断する切断刃部と、該切断刃部の後方に設けられた基部とを有し、前記ロール状シートのロール軸方向に相対移動して前記外装紙を切り開く開封用切断具において、
前記切断刃部の切断刃先が、鈍化したＲ形状に形成されていることを特徴とする開封用切断具。
【請求項２】
前記先端挿入部が、先端側の厚み方向両面に最先端側が薄くなるテーパ面を有しているとともに、上部のテーパ面が下部のテーパ面より長く形成されていることを特徴とする請求項１に記載の開封用切断具。
【請求項３】
前記切断刃部の切断刃先が、前記先端挿入部から前記基部の高さ方向の中間部に向かって傾斜して延び、
前記基部が、高さ方向の中間部から最上部まで垂直に立ちあがるように延びた基部切断刃先を有していることを特徴とする請求項１または請求項２に記載の開封用切断具。
【発明の詳細な説明】
【技術分野】
【０００１】
本発明は、例えばロール状シートに外装された外装紙を切り開く開封用切断具に関するものである。
【背景技術】
【０００２】
従来、開封用切断具として、ロール状シートと該ロール状シートの外装紙との間に挿入される先端挿入部と、該先端挿入部に立設され外装紙を切断する切断刃部と、先端挿入部および切断刃部の後方に設けられた基部とを有し、ロール状シートのロール軸方向に相対移動して前記外装紙を切り開くものが公知である。
【０００３】
この公知の開封用切断具５１０は、図８乃至図１０に示すように、切断刃部５３０の後方に設けられた基部５４０が外装剥離装置に装着されて、外装剥離装置に載置されたロール状シートとその外装紙との間に先端挿入部５２０が挿入され、ロール状シートのロール軸方向に移動されることで、切断刃部５３０によって外装紙を切り開くように構成されている。
【０００４】
先端挿入部５２０は平板状で、図１０に示すように、先端に向かって先端部５２３が薄くなるよう上テーパ面５２１および下テーパ面５２２が設けられ、上テーパ面５２１および下テーパ面５２２の長さＬＵおよびＬＤが等しくなるように形成されている。
また、切断刃部５３０は先端挿入部５２０から基部５４０の最上部に向かって延びる切断刃先５３１を有している。（例えば、特許文献１、図２参照）。
【特許文献１】特開２００２−１９３５５８号公報（第３頁、図１、図２）
【発明の開示】
【発明が解決しようとする課題】
【０００５】
しかしながら、公知の開封用切断具５１０は、切断刃部５３０の切断刃先５３１が鋭く形成されているため摩耗による鈍化や欠損が生じやすく、切断刃先５３１の砥ぎ直しや開封用切断具５１０自体の交換を頻繁に行う必要があった。
【０００６】
また、切断刃部５３０の切断刃先５３１が鋭く形成されているため、切断時に開封用切断具５１０やロール状シートが左右に振動したり、相対的に左右にずれが発生したりした場合、切断刃先５３１と外装紙が引っ掛かる状態となり、切り開きに失敗したり、開封用切断具５１０が破損したり、外装剥離装置に障害が発生したりする虞があった。
【０００７】
さらに、先端挿入部５２０の上テーパ面５２１および下テーパ面５２２の角度が大きいため、ロール状シートとその外装紙との間に先端挿入部５２０を挿入して移動する際の抵抗が大きくなるとともに、切断刃先５３１の傾斜角度が大きく切断刃先５３１と外装紙の接触角度が大きいため、摩耗による鈍化や欠損がさらに生じやすく、引っ掛かりも生じやすいという問題があった。
【０００８】
本発明は、前述したような従来技術の問題を解決するものであって、本発明が解決しようとする課題、すなわち、本発明の目的は、摩耗による鈍化や欠損を防止し寿命を長くするとともに、移動する際の抵抗を減らし、引っ掛かりを防止することで、確実に切り開きができ破損や障害が生じない開封用切断具を提供することである。
【課題を解決するための手段】
【０００９】
本請求項１に係る発明は、ロール状シートと該ロール状シートの外装紙との間に挿入される先端挿入部と、該先端挿入部の後方に立設され前記外装紙を切断する切断刃部と、該切断刃部の後方に設けられた基部とを有し、前記ロール状シートのロール軸方向に相対移動して前記外装紙を切り開く開封用切断具において、前記切断刃部の切断刃先が、鈍化したＲ形状に形成されていることにより、前記課題を解決するものである。
【００１０】
本請求項２に係る発明は、請求項１に記載された開封用切断具の構成に加えて、前記先端挿入部が、先端側の厚み方向両面に最先端側が薄くなるテーパ面を有しているとともに、上部のテーパ面が下部のテーパ面より長く形成されていることにより、前記課題をさらに解決するものである。
【００１１】
本請求項３に係る発明は、請求項１または請求項２に記載された開封用切断具の構成に加えて、前記先端挿入部から前記基部の高さ方向の中間部に向かって傾斜して延び、前記基部が、高さ方向の中間部から最上部まで垂直に立ちあがるように延びた基部切断刃先を有していることにより、前記課題をさらに解決するものである。
【発明の効果】
【００１２】
本発明の開封用切断具は、ロール状シートと該ロール状シートの外装紙との間に挿入される先端挿入部と、該先端挿入部の後方に立設され前記外装紙を切断する切断刃部と、該切断刃部の後方に設けられた基部とを有し、ロール状シートのロール軸方向に相対移動して外装紙を切り開くことにより、ロール状シートの外装紙の切り開き作業を容易に行うことができるとともに、以下のような格別の効果を奏することができる。
【００１３】
すなわち、本請求項１に係る発明の開封用切断具は、切断刃部の切断刃先が、鈍化したＲ形状に形成されていることにより、切断刃先が外装紙に切り込む作用よりも切断刃先により引き裂く作用により切り開きが行われ、開封用切断具やロール状シートが左右に振動したり、相対的に左右にずれが発生したりしても外装紙が切断刃先上を滑るため、切断刃先と外装紙が引っ掛かることなく確実に切り開きができ破損や障害を防止することができ、摩耗による鈍化や欠損を防止することができる。
【００１４】
そして、本請求項２に係る発明の開封用切断具は、請求項１に係る開封用切断具が奏する効果に加えて、先端挿入部が、先端側の厚み方向両面に最先端側が薄くなるテーパ面を有しているとともに、上部のテーパ面が下部のテーパ面より長く形成されていることにより、先端挿入部の上面のテーパ角度が浅くなるため、開封用切断具がロール状シートと該ロール状シートの外装紙との間に挿入されて移動する際の抵抗が減少し、確実に切り開きができ破損や障害を防止することができる。
【００１５】
また、本請求項３に係る発明の開封用切断具は、請求項１または請求項２に係る開封用切断具が奏する効果に加えて、切断刃部の切断刃先が、先端挿入部から基部の高さ方向の中間部に向かって傾斜して延び、基部が高さ方向の中間部から最上部まで垂直に立ちあがるように延びた基部切断刃先を有していることにより、切断刃先の傾斜角度が小さくなり切断刃先と外装紙の接触角度が小さくなるため、切断抵抗が小さくなり引っ掛かりや切断刃先の摩耗による鈍化や欠損をさらに防止できる。
【発明を実施するための最良の形態】
【００１６】
本発明の開封用切断具は、ロール状シートと該ロール状シートの外装紙との間に挿入される先端挿入部と、該先端挿入部の後方に立設され外装紙を切断する切断刃部と、該切断刃部の後方に設けられた基部とを有し、ロール状シートのロール軸方向に相対移動して前記外装紙を切り開く開封用切断具において、切断刃部の切断刃先が、鈍化したＲ形状に形成され、摩耗による鈍化や欠損を防止し寿命を長くできるとともに、移動する際の抵抗を減らし、引っ掛かりを防止することで、確実に切り開きができ破損や障害を防止することができるという効果を発揮するものであれば、その具体的な実施態様は如何なるものであっても何ら構わない。
【００１７】
すなわち、本発明の開封用切断具は、ロール状シートのロール軸方向に相対移動されることで、切断刃部によって外装紙を切り開く用途であれば、如何なる機器、装置、設備に使用されても良い。
また、本発明の開封用切断具の基部は、開封用切断具が使用される機器、装置、設備に装着することができる構造であればいかなる構造でも良い。
【実施例】
【００１８】
以下に、本発明の実施例である開封用切断具について、図面に基づいて説明する。
図１は、本発明の一実施例である開封用切断具を備えた外装剥離装置の斜視図であり、図２は、本発明の一実施例である開封用切断具を備えた外装剥離装置の一部拡大図であり、図３は、本発明の一実施例である開封用切断具の斜視図であり、図４は、本発明の一実施例である開封用切断具の側面図であり、図５は、本発明の一実施例である開封用切断具の平面図であり、図６は、図４のＡ−Ａ断面図であり、図７は、図４のＢの拡大説明図である。
【００１９】
本発明の一実施例である開封用切断具１１０は、例えば、輪転機の給紙側に供給される新聞巻取紙等のロール状シートＳの外表面に巻回して密着包装された防水紙からなる外装紙Ｐを、該ロール状シートＳの軸方向に向かって切り開く外装剥離装置１００に用いられる。
【００２０】
外装剥離装置１００は、図１および図２に示すように、外装紙Ｐを切り開くための開封機構１０２と、外装紙Ｐに端面から切れ目を形成するための切り込み機構１０４と、ロール状シートＳを囲繞する機枠１０１と、開封機構１０２を垂設する開封用ガイドレール１０３と、切り込み機構１０４を垂設する切り込み用ガイドレール１０５とを有しており、開封機構１０２を垂設する開封用ガイドレール１０３と、切り込み機構１０４を垂設する切り込み用ガイドレール１０５とが機枠１０１の上部に、ロール状シートＳのロール軸方向に沿って横架された状態で併設されている。
【００２１】
開封機構１０２には開封用切断具１１０が取り付けられ、切り込み機構１０４には端面切開機構１０７が取り付けられ、それぞれロール状シートＳのロール軸方向に進退自在に移動できるようになっており、切り込み機構１０４によりロール状シートＳの外装紙Ｐに端面から切れ目を形成した後、開封機構１０２により当該切れ目から開封用切断具１１０を挿入して外装紙Ｐの切り開きが行われる。
【００２２】
また、ロール状シートＳは、外装紙Ｐの切り開きが完了した後、外表面から外装紙Ｐを剥離するためにロール状シートＳを軸芯周りに円滑に回動させるためにベーラユニット１０６に載置されている。
【００２３】
次に、本発明の一実施例である開封用切断具１１０について、図３乃至図７に基づいて説明する。
開封用切断具１１０は、図３乃至図５に示すように、切断刃部１３０の後方に設けられた基部１４０が外装剥離装置に装着されて、外装剥離装置に載置されたロール状シートとその外装紙との間に先端挿入部１２０が挿入され、ロール状シートのロール軸方向に移動されることで、切断刃部１３０によって外装紙を切り開くように構成されている。
【００２４】
切断刃部１３０の切断刃先１３１は、先端挿入部１２０から基部１４０の高さ方向の中間部に向かって傾斜して延びるとともに、図６に示すように、半径ｒの鈍化したＲ形状に形成されている。
切断刃先１３１の傾斜角は４５°以下が望ましく、例えば、輪転機の給紙側に供給される新聞巻取紙等のロール状シートＳの外表面に巻回して密着包装された防水紙からなる外装紙Ｐを切り開くには、２５°程度が好適である。
【００２５】
半径ｒは、切り開く外装紙の材質や厚さによって適切な値とすればよく、例えば、輪転機の給紙側に供給される新聞巻取紙等のロール状シートＳの外表面に巻回して密着包装された防水紙からなる外装紙Ｐを切り開くには、ｒ＝１．５ｍｍ程度が好適である。
【００２６】
また、切断刃部１３０の切断刃先１３１が接する位置より上部の基部１４０の端面には基部切断刃先１４１が形成されており、切断刃先１３１と同様に半径ｒの鈍化したＲ形状に形成されている。
そして、切断刃部１３０の切断刃先１３１及び基部１４０端面の基部切断刃先１４１は、その近傍を含めて切断刃として必要な硬度や耐摩耗性を向上させるため、焼き入れ、コーティング等の熱処理や表面処理が施されるのが望ましい。
【００２７】
先端挿入部１２０は平板状で、図７に示すように、先端に向かって先端部１２３が薄くなるよう上テーパ面１２１および下テーパ面１２２が設けられ、上テーパ面１２１の長さＬＵが、下テーパ面１２２の長さＬＤより長くなるよう、すなわち、上テーパ面１２１の傾斜角度が小さくなるように形成されている。
【００２８】
先端部１２３の厚さｄ、上テーパ面１２１の長さＬＵおよび下テーパ面１２２の長さＬＤは、切り開く外装紙の材質や厚さによって適切な値とすればよく、例えば、輪転機の給紙側に供給される新聞巻取紙等のロール状シートＳの外表面に巻回して密着包装された防水紙からなる外装紙Ｐを切り開くには、ｄ＝０．５ｍｍ、ＬＵ＝２０ｍｍ、ＬＤ＝１５ｍｍ程度が好適である。
先端挿入部１２０も、耐摩耗性を向上させるため、焼き入れ、コーティング等の熱処理や表面処理が施されるのが望ましい。
【００２９】
以上のように構成された開封用切断具１１０を備えた外装剥離装置１００の動作を図１および図２に基づいて説明する。
まず、切り込み機構１０４を切り込み用ガイドレール１０５に沿って移動させ、端面切開機構１０７を外装剥離装置１００の一対のベーラユニット１０６に載置されたロール状シートＳに接近させる。
端面切開機構１０７は先端当接部と切り込み刃とを有するとともに切り込み用ガイドレール１０５に対して上下方向に移動可能であり、ロール状シートＳの端面に対し上下位置を合わせて先端当接部が当接され、切り込み刃により外装紙Ｐの耳部が切り込まれる。
【００３０】
次に、端面切開機構１０７をロール状シートＳの端面から離れた位置に退避させた後、開封機構１０２を開封用ガイドレール１０３に沿って移動させ、端面切開機構１０７を外装剥離装置１００の一対のベーラユニット１０６に載置されたロール状シートＳに接近させる。
端面切開機構１０７は開封用切断具１１０を有するとともに開封用ガイドレール１０３に対して上下方向に移動可能であり、切り込み刃により切り込まれたロール状シートＳ端面の外装紙Ｐの耳部に対し上下位置を合わせて、開封用切断具１１０の先端挿入部１２０が当該切れ目に挿入される。
【００３１】
そして、端面切開機構１０７が開封用ガイドレール１０３に沿ってロール状シートＳの軸心と平行に移動されることで、ロール状シートＳの外装紙Ｐは開封用切断具１１０の先端挿入部１２０によってロール状シートＳから剥離され、先端挿入部１２０に続く切断刃部１３０の切断刃先１３１によって切り開かれる。
【００３２】
このとき、先端挿入部１２０の上テーパ面１２１の長さＬＵが下テーパ面１２２の長さより長く形成されていることにより、先端挿入部１２０の上面のテーパ角度が浅くなるため、開封用切断具１１０がロール状シートＳと該ロール状シートＳの外装紙Ｐとの間に挿入されて移動する際の抵抗が減少し、確実に切り開きができ破損や障害を防止することができる。
【００３３】
また、切断刃部１３０の切断刃先１３１が、半径ｒの鈍化したＲ形状に形成されていることにより、切断刃先１３１が外装紙Ｐに切り込む作用よりも切断刃先１３１により引き裂く作用により切り開きが行われ、切り開き最中に開封用切断具１１０やロール状シートＳが左右に振動したり、相対的に左右にずれが発生したりしても、外装紙Ｐが切断刃先１３１上を滑るため、切断刃先１３１と外装紙Ｐが引っ掛かることなく確実に切り開きができ破損や障害を防止することができる。
【００３４】
さらに、切断刃部１３０の切断刃先１３１が、先端挿入部１２０から基部１４０の高さ方向の中間部に向かって傾斜して延びているため、切断刃先１３１の傾斜角度が小さくなり切断刃先１３１と外装紙Ｐの接触角度が小さくなり切断抵抗が小さくなって引っ掛かりや切断刃先１３１の摩耗による鈍化や欠損をさらに防止できる。
【００３５】
また、切断刃部１３０の切断刃先１３１が接する位置より上部の基部１４０の端面には基部切断刃先１４１が形成されており、切断刃先１３１と同様に半径ｒの鈍化したＲ形状に形成されているため、万一、外装紙Ｐが切断刃部１３０の切断刃先１３１の区間で切り開かれずに基部１４０まで達しても、基部切断刃先１４１により確実に切り開くことができる。
【００３６】
そして、開封用切断具１１０がロール状シートＳの全幅にわたって外装紙Ｐを切り開いた後に、外装紙Ｐを横方から引っ張ることでロール状シートＳが一対のベーラユニット１０６上で回転し、ロール状シートＳの外表面から外装紙Ｐが剥離され開封が完了する。
【００３７】
以上述べたように、本発明によれば摩耗による鈍化や欠損を防止し寿命を長くできるとともに、移動する際の抵抗を減らし、引っ掛かりを防止することで、確実に切り開きができ破損や障害を防止することができるなど、その効果は甚大である。
【００３８】
なお、上記の実施例では、ロール状シートＳの周面上方から外装紙Ｐを剥離する装置形態を採用しているが、ロール状シートＳの外装紙Ｐを剥離することができるものであれば、前記周面上方以外の真横などの方向から外装紙Ｐを剥離する装置形態を採用しても良く、また、開封用切断具１１０がロール状シートＳのロール軸方向に相対移動されることで、切断刃部１３０によって外装紙Ｐを切り開く用途であれば、如何なる機器、装置、設備に使用されても良い。
【図面の簡単な説明】
【００３９】
【図１】本発明の一実施例である開封用切断具を備えた外装剥離装置の斜視図。
【図２】本発明の一実施例である開封用切断具を備えた外装剥離装置の一部拡大図。
【図３】本発明の一実施例である開封用切断具の斜視図。
【図４】本発明の一実施例である開封用切断具の側面図。
【図５】本発明の一実施例である開封用切断具の平面図。
【図６】図４のＡ−Ａ断面図。
【図７】図４のＢの拡大説明図。
【図８】従来の開封用切断具の側面図。
【図９】従来の開封用切断具の平面図。
【図１０】図８のＣの拡大説明図。
【符号の説明】
【００４０】
１００          ・・・外装剥離装置
１０１          ・・・機枠
１０２          ・・・開封機構
１０３          ・・・開封用ガイドレール
１０４          ・・・切り込み機構
１０５          ・・・切り込み用ガイドレール
１０６          ・・・ベーラユニット
１０７          ・・・端面切開機構
１１０、５１０  ・・・開封用切断具
１２０、５２０  ・・・先端挿入部
１２１、５２１  ・・・上テーパ面
１２２、５２２  ・・・下テーパ面
１２３、５２３  ・・・先端部
１３０、５３０  ・・・切断刃部
１３１、５３１  ・・・切断刃先
１４０、５４０  ・・・基部
１４１          ・・・基部切断刃先
Ｓ              ・・・ロール状シート
Ｐ              ・・・外装紙
【図１】
2010070216.tif 000003
【図２】
2010070216.tif 000004
【図３】
2010070216.tif 000005
【図４】
2010070216.tif 000006
【図５】
2010070216.tif 000007
【図６】
2010070216.tif 000008
【図７】
2010070216.tif 000009
【図８】
2010070216.tif 000010
【図９】
2010070216.tif 000011
【図１０】
2010070216.tif 000012